(57)【要約】【課題】ユーザーに対して手間や時間をかけさせることなく文書データの内容を容易かつ迅速に把握させること。【解決手段】表示制御方法は、文書データが有する複数のページのそれぞれについて、各ページの縮小画像が、ページの横方向の辺と交差する軸の周りにあたかも回転され、かつ上方の視点から俯瞰されているように見えるように、各ページの縮小画像を変形することによって各ページに対応する複数のサムネイル画像を生成し、複数の前記サムネイル画像を横方向に並べて、表示装置の表示部に表示させるサムネイル画像表示制御工程とを含み、前記サムネイル画像生成工程では、第１のページのサムネイル画像の変形の大きさを、当該第１のページ以外の他のページのサムネイル画像の変形の大きさよりも小さくする。【選択図】図２
2011221586.tif 000002
【特許請求の範囲】
【請求項１】
複数のページを有する一の文書の複数のサムネイル画像を表示する表示制御方法であって、
前記複数のサムネイル画像のうち一のサムネイル画像は前記複数のページのうち一のページに対応するサムネイル画像であり、
前記一のページの縮小画像が、前記縮小画像の横方向の辺と交差する仮想の回転軸の周りにあたかも回転させられ、かつ上方の視点から俯瞰されているように見えるように、前記縮小画像を変形することによって前記一のサムネイル画像を生成し、前記複数のサムネイル画像のうち少なくとも２つのサムネイル画像が互いに部分的に重なるように、前記複数のサムネイル画像を表示装置の表示部に表示するサムネイル画像表示制御工程、を含み、
前記サムネイル画像表示制御工程では、前記複数のサムネイル画像のうち第１のサムネイル画像の、該第１のサムネイル画像に対応する第１のページの縮小画像からの変形の大きさが、前記複数のサムネイル画像のうち第２のサムネイル画像の、該第２のサムネイル画像に対応する第２のページの縮小画像からの変形の大きさよりも小さくなるように前記複数のサムネイル画像を生成する
ことを特徴とする表示制御方法。
【請求項２】
前記サムネイル画像表示制御工程では、
前記複数のページのうち前記第１のページとは異なる他のページに対応するサムネイル画像の、該サムネイル画像に対応するページの縮小画像からの変形の大きさが、前記第１のページから離れているほど大きくなるように前記複数のサムネイル画像を生成する
ことを特徴とする請求項１に記載の表示制御方法。
【請求項３】
前記サムネイル画像表示制御工程では、
前記第１のページ以前のページに対応するサムネイル画像と前記第１のページ以降のページに対応するサムネイル画像とで、前記仮想の回転軸の周りの回転の方向が互いに異なるように、前記複数のサムネイル画像を、前記表示部に表示させる
ことを特徴とする請求項１または２に記載の表示制御方法。
【請求項４】
前記サムネイル画像表示制御工程では、
前記複数のページのうち前記第１のページとは異なる他のページに対応するサムネイル画像を、前記第１のページに対応するサムネイル画像よりも小さくする
ことを特徴とする請求項１乃至３のいずれか１項に記載の表示制御方法。
【請求項５】
前記表示部に表示された前記複数のサムネイル画像の中から選択されたサムネイル画像に対応するページを前記表示部に表示する文書表示制御工程
をさらに含むことを特徴とする請求項１乃至４のいずれか１項に記載の表示制御方法。
【請求項６】
前記サムネイル画像表示制御工程では、
前記第１のページの画像に対して、縦方向の剪断による変形を与える工程と横方向の縮小による変形を与える工程とを含む
ことを特徴とする請求項１乃至５のいずれか１項に記載の表示制御方法。
【請求項７】
前記サムネイル画像表示制御工程では、
前記第１のページの画像に対して、縦方向の縮小による変形を与える工程をさらに含む
ことを特徴とする請求項６に記載の表示制御方法。
【請求項８】
コンピューターを、
一の文書が有する複数のページのうちの一のページの縮小画像が、前記縮小画像の横方向の辺と交差する仮想の回転軸の周りにあたかも回転させられ、かつ上方の視点から俯瞰されているように見えるように、前記縮小画像を変形することによって前記一のページに対応する前記一のサムネイル画像を生成し、前記複数のサムネイル画像のうち少なくとも２つのサムネイル画像が互いに部分的に重なるように、複数のサムネイル画像を表示装置の表示部に表示するサムネイル画像表示制御手段であって、
前記複数のサムネイル画像のうち第１のサムネイル画像の、該第１のサムネイル画像に対応する第１のページの縮小画像からの変形の大きさが、前記複数のサムネイル画像のうち第２のサムネイル画像の、該第２のサムネイル画像に対応する第２のページの縮小画像からの変形の大きさよりも小さくなるように前記複数のサムネイル画像を生成するサムネイル画像表示制御手段
として機能させるためのプログラム。
【発明の詳細な説明】
【技術分野】
【０００１】
本発明は、表示制御方法およびプログラムに関する。
【背景技術】
【０００２】
複数のページからなる文書データの内容をユーザーに把握させることを目的として、複数のページのそれぞれについてサムネイル画像を生成し、生成した複数のサムネイル画像を並べてまたは重ねて一覧表示する技術が考案されている（たとえば、特許文献１参照。）。
【先行技術文献】
【特許文献】
【０００３】
【特許文献１】特開２００８−３０１５０２号公報
【発明の概要】
【発明が解決しようとする課題】
【０００４】
しかしながら、上記技術では、ユーザーは、文書データの内容を把握したい場合、サムネイル画像からでは、文書データの内容を把握することができないため、サムネイル画像とは別に、文書データを表示部に表示させる必要がある。このため、ユーザーは、文書データの内容を把握するまでに、手間や時間をかける必要があった。
【０００５】
本発明にかかる幾つかの態様は、上記課題を解決することで、ユーザーに対して手間や時間をかけさせることなく、文書データの内容を容易かつ迅速に把握させることができる、表示制御方法およびプログラムを提供するものである。
【課題を解決するための手段】
【０００６】
上記課題を解決するため、本発明の第１の態様の表示制御方法は、複数のページを有する一の文書の複数のサムネイル画像を表示する表示制御方法であって、前記複数のサムネイル画像のうち一のサムネイル画像は前記複数のページのうち一のページに対応するサムネイル画像であり、前記一のページの縮小画像が、前記縮小画像の横方向の辺と交差する仮想の回転軸の周りにあたかも回転させられ、かつ上方の視点から俯瞰されているように見えるように、前記縮小画像を変形することによって前記一のサムネイル画像を生成し、前記複数のサムネイル画像のうち少なくとも２つのサムネイル画像が互いに部分的に重なるように、前記複数のサムネイル画像を表示装置の表示部に表示するサムネイル画像表示制御工程、を含み、前記サムネイル画像表示制御工程では、前記複数のサムネイル画像のうち第１のサムネイル画像の、該第１のサムネイル画像に対応する第１のページの縮小画像からの変形の大きさが、前記複数のサムネイル画像のうち第２のサムネイル画像の、該第２のサムネイル画像に対応する第２のページの縮小画像からの変形の大きさよりも小さくなるように前記複数のサムネイル画像を生成することを特徴とする。
【０００７】
上記本発明に係る表示制御方法によれば、第１のサムネイル画像における第１のページの画像の変形の大きさが、他のサムネイル画像におけるページの画像の変形の大きさよりも小さいため、第１のページのサムネイル画像において、第１のページに含まれる文字、図形、画像等のデータの表示形態が実際のデータの表示形態により近くなる。このため、ユーザーは、第１のページの概要を、表示部に表示された第１のサムネイル画像から容易に把握することができる。したがって、ユーザーは、手間や時間をかけることなく、文書データの内容を容易かつ迅速に把握することができる。
【０００８】
ところで、横書きの文書においては、ページのうち上部の領域に見出しや章番号などの情報が記載されていることが多い。本発明によれば、複数のサムネイル画像が斜め上方の視点から俯瞰されているように表示されるため、限られたスペースに多くのサムネイル画像を表示する目的で、複数のサムネイル画像を互いに部分的に重なるように表示しても、各サムネイル画像のうち上部の領域はユーザーに視認される。このため、各ページを仰ぎ見るような態様で、あるいは正面から見るような態様で複数のサムネイル画像を部分的に重ねて表示する場合と比較して、ユーザーは、第１のページだけでなく他のページの概要も複数のサムネイル画像から容易に把握することができる。したがって、ユーザーは、手間や時間をかけることなく、文書データの内容を容易かつ迅速に把握することができる。
【０００９】
上記表示制御方法において、前記サムネイル画像表示制御工程では、前記複数のページのうち前記第１のページとは異なる他のページに対応するサムネイル画像の、該サムネイル画像に対応するページの縮小画像からの変形の大きさが、前記第１のページから離れているほど大きくなるように前記複数のサムネイル画像を生成してもよい。かかる構成によれば、表示画面に多くのサムネイル画像を表示することができるため、容易に文書データ全体の概要を把握することができる。また、ユーザーは、表示部に表示されている複数のサムネイル画像の中から第１のページのサムネイル画像を直感的に迅速に探し出すことができる。
【００１０】
上記表示制御方法において、前記サムネイル画像表示制御工程では、前記第１のページ以前のページに対応するサムネイル画像と前記第１のページ以降のページに対応するサムネイル画像とで、前記仮想の回転軸の周りの回転の方向が互いに異なるように、前記複数のサムネイル画像を、前記表示部に表示させてもよい。かかる構成によれば、第１のページのサムネイル画像の前後でサムネイル画像の回転方向が異なるため、ユーザーは、表示部に表示されている複数のサムネイル画像の中から第１のページのサムネイル画像を直感的に迅速に探し出すことができる。
【００１１】
上記表示制御方法において、前記サムネイル画像表示制御工程では、前記複数のページのうち前記第１のページとは異なる他のページに対応するサムネイル画像を、前記第１のページに対応するサムネイル画像よりも小さくしてもよい。かかる構成によれば、第１のページのサムネイル画像のサイズが、他のページのサムネイル画像のサイズよりも相対的に大きくなるため、ユーザーは、表示部に表示されている複数のサムネイル画像の中から第１のページのサムネイル画像を直感的に迅速に探し出し、その内容を容易に把握することができる。また、他のページのサムネイル画像のサイズを第１のページのサムネイル画像のサイズよりも小さくし、かつ他のページのサムネイル画像の変形の大きさを第１のページのサムネイル画像の変形の大きさよりも大きくすることで、他のページのサムネイル画像をより多く表示部に表示させることができる。これにより、ユーザーは、複数のページにおける第１のページの相対的な位置関係を容易に把握することができる。
【００１２】
上記表示制御方法において、前記表示部に表示された前記複数のサムネイル画像の中から選択されたサムネイル画像に対応するページを前記表示部に表示する文書表示制御工程をさらに含むことを特徴とする。かかる構成によれば、文書データの内容をサムネイル画像により容易かつ迅速にユーザーに把握させたうえで、そのうちの第２のページをユーザーに選択させて表示することができる。これにより、ユーザーは、容易かつ迅速に、複数のページの中うちの所望するページを探し出し、そのページに記載されている内容を詳細に把握することができる。
【００１３】
上記表示制御方法において、前記サムネイル画像表示制御工程では、前記第１のページの画像に対して、縦方向の剪断による変形を与える工程と横方向の縮小による変形を与える工程とを含むことを特徴とする。かかる構成によれば、容易にサムネイル画像を生成で
きる。
【００１４】
上記表示制御方法において、前記サムネイル画像表示制御工程では、前記第１のページの画像に対して、縦方向の縮小による変形を与える工程をさらに含むことを特徴とする。かかる構成によれば、容易にサムネイル画像を生成できる。
【００１５】
また、本発明の第２の態様のプログラムは、コンピューターを、一の文書が有する複数のページのうちの一のページの縮小画像が、前記縮小画像の横方向の辺と交差する仮想の回転軸の周りにあたかも回転させられ、かつ上方の視点から俯瞰されているように見えるように、前記縮小画像を変形することによって前記一のページに対応する前記一のサムネイル画像を生成し、前記複数のサムネイル画像のうち少なくとも２つのサムネイル画像が互いに部分的に重なるように、複数のサムネイル画像を表示装置の表示部に表示するサムネイル画像表示制御手段であって、前記複数のサムネイル画像のうち第１のサムネイル画像の、該第１のサムネイル画像に対応する第１のページの縮小画像からの変形の大きさが、前記複数のサムネイル画像のうち第２のサムネイル画像の、該第２のサムネイル画像に対応する第２のページの縮小画像からの変形の大きさよりも小さくなるように前記複数のサムネイル画像を生成するサムネイル画像表示制御手段として機能させる。
【００１６】
上記本発明に係るプログラムによれば、第１のサムネイル画像における第１のページの画像の変形の大きさが、他のサムネイル画像におけるページの画像の変形の大きさよりも小さいため、第１のページのサムネイル画像において、第１のページに含まれる文字、図形、画像等のデータの表示形態が実際のデータの表示形態により近くなる。このため、ユーザーは、第１のページの概要を、表示部に表示された第１のサムネイル画像から容易に把握することができる。したがって、ユーザーは、手間や時間をかけることなく、文書データの内容を容易かつ迅速に把握することができる。
【図面の簡単な説明】
【００１７】
【図１】実施形態に係る表示装置１００の外観の一例を示す。
【図２】表示装置１００の機能構成の一例を示す。
【図３】表示装置１００の処理手順の一例を示す。
【図４】サムネイル画像を生成する処理の一例を示す。
【図５】サムネイル画像の一例を示す。
【図６】サムネイル画像の他の一例を示す。
【図７】サムネイル画像および文書の表示の一例を示す。
【図８】サムネイル画像および文書の表示の他の一例を示す。
【図９】表示装置１００のハードウェア構成の一例を示す。
【発明を実施するための形態】
【００１８】
図１は、実施形態に係る表示装置１００の外観の一例を示す。表示装置１００は、たとえばユーザーが文書を閲覧する際に利用する情報処理装置である。表示装置１００は、文書を表示することができる。たとえば、表示装置１００は、電子ブックである。これに限らず、表示装置１００は、ＰＤＡ（Ｐｅｒｓｏｎａｌ  Ｄｉｇｉｔａｌ  Ａｓｓｉｓｔａｎｔ）、携帯電話、携帯音楽再生装置、携帯動画再生装置、携帯ナビゲーション装置、ノートＰＣ（Ｐｅｒｓｏｎａｌ  Ｃｏｍｐｕｔｅｒ）、デスクトップＰＣなどであってもよい。
【００１９】
表示装置１００は、筐体１１０、表示部の一例としてのディスプレイ１２０、および入力部の一例としての操作ボタン１３０を備える。筐体１１０は、電源、ＣＰＵ、メモリー、ハードディスク、ディスプレイ１２０、ディスプレイ駆動回路１２２など、表示装置１００を動作させるための各種ハードウェアを収容する。ディスプレイ１２０は、筐体１１
０の正面に形成されている開口から表示面を露出するように、筐体１１０の内部に設けられている。ディスプレイ１２０は、ディスプレイ駆動回路１２２によって駆動され、文書を表示する。ディスプレイ１２０は、文書に限らず、画像、管理データ、ボタン、アイコンなどを表示することもできる。本実施形態の表示装置１００は、ディスプレイ１２０として、電気泳動方式を利用した電子ペーパーを用いている。ディスプレイ１２０は、電子ペーパーに限らず、液晶ディスプレイ、プラズマディスプレイ、有機ＥＬディスプレイなど、他の表示デバイスを表示部として備えてもよい。
【００２０】
操作ボタン１３０は、筐体１１０の正面に設けられている。操作ボタン１３０は、表示装置１００に対する操作を入力する。表示装置１００は、入力された操作に従って、処理をおこなう。たとえば、表示装置１００は、操作ボタン１３０によって入力された操作に従って、文書データの選択、拡大、縮小、ページめくり、範囲指定など、文書の表示を制御する。表示装置１００は、操作ボタン１３０は、筐体１１０の側面または裏面に設けられてもよい。なお、表示装置１００は、操作ボタン１３０に限らず、キーボード、マウス、トラックボール、タッチパネルなど、他の入力デバイスを入力部として備えてもよい。
【００２１】
図２は、表示装置１００の機能構成の一例を示す。表示装置１００は、格納部２１０、サムネイル画像生成部２１２、およびサムネイル画像表示制御部２１４を備える。格納部２１０は、各種データを格納する。たとえば、格納部２１０は、文書データを格納する。サムネイル画像生成部２１２は、文書データのサムネイル画像を生成する。サムネイル画像表示制御部２１４は、サムネイル画像生成部２１２が生成したサムネイル画像を、ディスプレイ１２０に表示させる。具体的には、サムネイル画像生成部２１２は、格納部２１０に格納されている文書データを読み取る。そして、サムネイル画像生成部２１２は、格納部２１０から読み取った文書データが有する複数のページのそれぞれについて、サムネイル画像を生成する。そして、サムネイル画像表示制御部２１４は、サムネイル画像生成部２１２が生成した複数のサムネイル画像を、横方向かつページ順に並べて、ディスプレイ１２０に表示させる。
【００２２】
たとえば、サムネイル画像生成部２１２は、格納部２１０に格納されている文書データを、ファイル単位で読み取り、読み取った文書データが有する複数のページのそれぞれのサムネイル画像を生成する。これに限らず、サムネイル画像生成部２１２は、格納部２１０に格納されている文書データを、１ページ単位、複数ページ単位など、他の単位で読み取り、サムネイル画像を生成してもよい。サムネイル画像の大きさは、予め定められていてもよく、自動的に変更されるものであってもよい。たとえば、サムネイル画像の大きさは、ディスプレイの解像度に応じて、予め定められていてもよく、自動的に変更されるものであってもよい。他の例として、サムネイル画像の大きさは、フォントサイズに応じて、予め定められていてもよく、自動的に変更されるものであってもよい。サムネイル画像の大きさは、文字が認識できる程度の大きさ以上が好ましい。文字が認識できる程度の大きさとは、予め定められている大きさであってもよく、文字認識ソフトウェアが文字を認識ができると判断した大きさであってもよい。
【００２３】
ここで、本実施形態のサムネイル画像生成部２１２は、一の文書が有する複数のページのうちの一のページの縮小画像が、一のページの横方向の辺と交差する仮想の回転軸の周りにあたかも回転させられ、かつ上方の視点から俯瞰されているように見えるように、一のページの縮小画像を変形することによって一のページに対応する一のサムネイル画像を生成する。このとき、サムネイル画像表示制御部２１４は、複数のサムネイル画像のうち第１のサムネイル画像の、該第１のサムネイル画像に対応する第１のページの縮小画像からの変形の大きさが、複数のサムネイル画像のうち第２のサムネイル画像の、該第２のサムネイル画像に対応する第２のページの縮小画像からの変形の大きさよりも小さくなるように複数のサムネイル画像を生成する。以下、あるサムネイル画像の、該サムネイル画像
に対応するページの縮小画像からの変形の大きさを、適宜、サムネイル画像の変形の大きさ、と呼ぶ。また、あるページの縮小画像としては、該ページの画像を相似変形させた縮小画像を選択することができるが、必ずしも相似変形させた縮小画像でなくても良い。
【００２４】
ここでいう第１のページとは、一の文書が有する複数のページのうちの、他のページの基準となるページである。たとえば、第１のページは、より注目度の高い注目ページであってもよい。この場合、注目ページは、ユーザーが指定したものであってもよく、予め定められた条件を満たすページであってもよい。第１のページは、ユーザーの操作などによって、容易に変更が可能である。たとえば、本実施形態では、第１のページは、ユーザーによるページめくり操作などに応じて、その都度変更される。また、第１のページが注目ページの場合には、ユーザーによる注目ページの設定／非設定操作に応じて、第１のページが設定／非設定される。文書データのうち、第１のページは、一つだけ設定されてもよく、複数設定されてもよい。また、第２のページとは、一の文書が有する複数のページのうちの、第１のページ以外のページである。
【００２５】
そして、サムネイル画像表示制御部２１４は、隣り合う２つのサムネイル画像が互いに部分的に重なり合うように、複数のサムネイル画像をディスプレイ１２０に表示させる。このとき、表示される全部のサムネイル画像が、隣り合うサムネイル画像と互いに部分的に重なり合っていてもよい。また、表示されるサムネイル画像のうち一部のサムネイル画像が、隣り合うサムネイル画像と互いに部分的に重なり合っていてもよい。
【００２６】
ここで、サムネイル画像表示制御部２１４は、サムネイル画像生成部２１２が生成した全部のサムネイル画像を同時に、ディスプレイ１２０に表示させてもよい。また、サムネイル画像表示制御部２１４は、サムネイル画像生成部２１２が生成した一部のサムネイル画像を同時に、ディスプレイ１２０に表示させてもよい。たとえば、サムネイル画像表示制御部２１４は、サムネイル画像生成部２１２が生成したサムネイル画像のうち、予め定められた枚数分のサムネイル画像を同時に、ディスプレイ１２０に表示させてもよい。
【００２７】
サムネイル画像生成部２１２は、一の文書が有する複数のページのうちの第１のページとは異なる他のページに対応するサムネイル画像の、該サムネイル画像に対応するページの縮小画像からの変形の大きさが、第１のページから離れているほど大きくなるように複数のサムネイル画像を生成するようにしてもよい。
【００２８】
また、サムネイル画像表示制御部２１４は、第１のページ以降のページについては、第１のページ以前のページとは反対の方向にページの画像があたかも回転されたかのようなサムネイル画像を、ディスプレイ１２０に表示させてもよい。
【００２９】
また、サムネイル画像表示制御部２１４は、第１のページ以外の他のページに対応するサムネイル画像のサイズを、第１のページに対応するサムネイル画像のサイズよりも小さくしてもよい。この場合、サムネイル画像表示制御部２１４は、一部の他のページに対応するサムネイル画像のサイズを、第１のページに対応するサムネイル画像のサイズと同じにしてもよい。たとえば、サムネイル画像表示制御部２１４は、第１のページとで見開きをなす、第１のページの前または後ろのページに対応するサムネイル画像のサイズを、第１のページに対応するサムネイル画像のサイズと同じにしてもよい。他の例として、サムネイル画像表示制御部２１４は、第１のページの前後の予め定められた枚数分のページについては、第１のページと同じサイズのサムネイル画像をディスプレイ１２０に表示させてもよい。
【００３０】
また、サムネイル画像表示制御部２１４は、サムネイル画像生成部２１２が生成した複数のサムネイル画像を、表示画面の左から右へ横方向に、ページ降順に並べてディスプレ
イ１２０に表示させてもよく、表示画面の右から左へ横方向に、ページ降順に並べて、ディスプレイ１２０に表示させてもよい。たとえば、サムネイル画像表示制御部２１４は、文書データのレイアウトが横書きの場合は、この文書データに対応する複数のサムネイル画像を、表示画面の左から右へ横方向に、ページ降順に並べてディスプレイ１２０に表示させてもよいし、表示画面の右から左へ横方向に、ページ降順に並べてディスプレイ１２０に表示させてもよい。
【００３１】
表示装置１００は、入力受付部２２２をさらに備える。入力受付部２２２は、複数のページのうちの第１のページの選択指示の入力を受け付ける。入力受付部２２２が第１のページの選択指示の入力を受け付けるごとに、サムネイル画像生成部２１２は、文書データのサムネイル画像を生成する。また、サムネイル画像表示制御部２１４は、サムネイル画像生成部２１２が生成した複数のサムネイル画像を、ディスプレイ１２０に表示させる。
【００３２】
第１のページの選択指示の入力は、たとえば、操作ボタン１３０によって入力される。第１のページの選択指示の入力は、たとえば、操作ボタン１３０によってページめくり操作が行われたことをもって、新たにめくられたページを第１のページとして、選択指示が入力されるものであってもよい。これに限らず、たとえば、第１のページの選択指示の入力は、操作ボタン１３０によって表示画面上の任意のサムネイル画像が選択されたことをもって、そのサムネイル画像に対応するページを第１のページとして、選択指示が入力されるものであってもよい。また、第１のページの選択指示の入力は、操作ボタン１３０によって任意のページ番号が入力されたことをもって、そのページ番号を有するページを第１のページとして、選択指示が入力されるものであってもよい。
【００３３】
また、入力受付部２２２は、複数のページのうちの表示対象となる第２のページの選択指示の入力を受け付ける。入力受付部２２２が第２のページの選択指示の入力を受け付けた場合、文書表示制御部２２４は、文書データから第２のページのデータを格納部２１０から読み取る。そして、文書表示制御部２２４は、読み取った第２のページをディスプレイ１２０に表示させる。ここで、文書表示制御部２２４は、複数のサムネイル画像が表示されている領域以外の領域に、第２のページを表示させてもよい。また、文書表示制御部２２４は、複数のサムネイル画像が表示されている領域に、第２のページを表示させてもよい。入力受付部２２２は、現在第１のページとして選択されているページを第２のページとして表示させてもよい。
【００３４】
第２のページの選択指示の入力は、たとえば、操作ボタン１３０によって入力される。第２のページの選択指示の入力は、たとえば、操作ボタン１３０によってページめくり操作が行われたことをもって、新たにめくられたページを第２のページとして、選択指示が入力されるものであってもよい。これに限らず、たとえば、第２のページの選択指示の入力は、操作ボタン１３０によって表示画面上の任意のサムネイル画像が選択されたことをもって、そのサムネイル画像が有するページを第２のページとして、選択指示が入力されるものであってもよい。また、第２のページの選択指示の入力は、操作ボタン１３０によって任意のページ番号が入力されたことをもって、そのページ番号を有するページを第２のページとして、選択指示が入力されるものであってもよい。
【００３５】
図３は、表示装置１００の処理手順の一例を示す。ここでは、格納部２１０に文書データが予め格納されており、処理対象とする文書データがユーザーによって選択されたものとして説明する。
【００３６】
まず、サムネイル画像生成部２１２が、格納部２１０に格納されている文書データを読み取る（ステップＳ３０２）。つぎに、サムネイル画像生成部２１２が、ステップＳ３０２で読み取った文書データに含まれている複数のページのそれぞれについて、サムネイル
画像を生成する（ステップＳ３０４）。そして、サムネイル画像表示制御部２１４が、ステップＳ３０４で生成された複数のサムネイル画像を、ディスプレイ１２０に表示させる（ステップＳ３０６）。ここで、サムネイル画像を初期表示する場合など、第１のページが選択されていない場合がある。このような場合、ステップＳ３０４では、サムネイル画像生成部２１２は、第１のページが選択されていない状態の、サムネイル画像を生成してもよい。また、ステップＳ３０４では、予め定められたページを第１のページとし、サムネイル画像生成部２１２は、複数のサムネイル画像を生成してもよい。
【００３７】
続いて、表示装置１００においては、入力受付部２２２が、第１のページの選択指示および第２のページの選択指示の入力の受け付けを開始し（ステップＳ３０７）、表示装置１００が、第１のページの選択指示の入力を入力受付部２２２が受け付けたか否かを判断する（ステップＳ３０８）。ステップＳ３０８において、「第１のページの選択指示の入力を入力受付部２２２が受け付けた」と判断した場合（ステップＳ３０８：Ｙｅｓ）、ステップＳ３０４に戻り、サムネイル画像生成部２１２が、新たに選択されたページを第１のページとして、ステップＳ３０２で読み取った文書データに含まれている複数のページのそれぞれについて、サムネイル画像を新たに生成する（ステップＳ３０４）。そして、サムネイル画像表示制御部２１４が、既にディスプレイ１２０が表示している複数のサムネイル画像に変えて、ステップＳ３０４で新たに生成された複数のサムネイル画像を、ディスプレイ１２０に表示させ（ステップＳ３０６）、表示装置１００は、ステップＳ３０７へ処理を戻す。一方、ステップＳ３０８において、「第１のページの選択指示の入力を入力受付部２２２が受け付けていない」と判断した場合（ステップＳ３０８：Ｎｏ）、表示装置１００は、ステップＳ３１０へ処理を進める。
【００３８】
ステップＳ３１０では、表示装置１００が、第２のページの選択指示の入力を入力受付部２２２が受け付けたか否かを判断する（ステップＳ３１０）。ステップＳ３１０において、「第２のページの選択指示の入力を入力受付部２２２が受け付けた」と判断した場合（ステップＳ３１０：Ｙｅｓ）、文書表示制御部２２４が、文書データから第２のページのデータを格納部２１０から読み取る（ステップＳ３１２）。そして、文書表示制御部２２４が、ステップＳ３１２で読み取った第２のページをディスプレイ１２０に表示させ（ステップＳ３１４）、表示装置１００は、ステップＳ３０７へ処理を戻す。一方、ステップＳ３１０において、「第２のページの選択指示の入力を入力受付部２２２が受け付けていない」と判断した場合（ステップＳ３１０：Ｎｏ）、表示装置１００は、ステップＳ３０７へ処理を戻す。
【００３９】
このように、表示装置１００は、ステップＳ３０７へ処理を戻すことで、第１のページの選択指示の入力を入力受付部２２２が受け付けるごとに、選択された第１のページを新たな第１のページとする複数のサムネイル画像をディスプレイ１２０に表示する。また、第２のページの選択指示の入力を入力受付部２２２が受け付けるごとに、選択された第２のページの文書画像をディスプレイ１２０に表示する。
【００４０】
図４は、サムネイル画像生成部２１２によるサムネイル画像を生成する処理の一例を示す。サムネイル画像生成部２１２は、文書データが有する一のページが、図４（ａ）に示したように、たとえばページの縦方向の辺と平行な仮想の回転軸Ｍの周りにあたかもθだけ回転され、かつ上方の視点から俯角φで俯瞰されているようなサムネイル画像を生成する。ここで、ページを回転させていない場合、θは０°である。また、φは俯角であり、視線が水平方向となす角である。このようにページを斜め上方の視点から俯瞰したようなサムネイル画像は、図４（ｅ）に示したような図形である。サムネイル画像生成部２１２は、たとえば以下の処理（ステップ１）〜（ステップ４）を行なうことにより、正面から見たサムネイル画像を図４（ｅ）に示したようなサムネイル画像に変換する。
【００４１】
（ステップ１）文書画像を縮小することで、図４（ｂ）に示した縮小画像を生成する。縦の長さはＬ、横の長さはＳである。
（ステップ２）次に、図４（ｃ）に示したように、横幅を変化させないように、縮小画像に縦方向の剪断変形を加える。具体的には、縮小画像の右辺を左辺に対してＳ・ｓｉｎθ・ｔａｎφだけずらす。
（ステップ３）次に、図４（ｄ）に示したように、ステップ２で得られた縮小画像を、ｃｏｓθの倍率で横方向に縮小する。この結果、横幅はＳ・ｃｏｓθとなる。
（ステップ４）最後に、図４（ｅ）に示したように、ステップ３で得られた縮小画像を、ｃｏｓφの倍率で縦方向に縮小する。
これにより、ページが仮想の回転軸Ｍの周りにあたかもθだけ回転され、かつ上方の視点から俯角φで俯瞰されているように、サムネイル画像を変形することができる。
【００４２】
横書きの文書においては、ページのうち上部の領域に見出しや章番号などの情報が記載されていることが多い。本発明によれば、複数のサムネイル画像が斜め上方の視点から俯瞰されているように表示されるため、限られたスペースに多くのサムネイル画像を表示する目的で、複数のサムネイル画像を互いに部分的に重なるように表示しても、各サムネイル画像のうち上部の領域はユーザーに視認される。このため、各ページを仰ぎ見るような態様で、あるいは正面から見るような態様で複数のサムネイル画像を部分的に重ねて表示する場合と比較して、ユーザーは、第１のページだけでなく他のページの概要も複数のサムネイル画像から容易に把握することができる。したがって、ユーザーは、手間や時間をかけることなく、文書データの内容を容易かつ迅速に把握することができる。
【００４３】
サムネイル画像生成部２１２は、上記処理（ステップ１）〜（ステップ４）を、上記した順番とは異なる順番で行なってもよい。また、サムネイル画像生成部２１２は、上記処理（ステップ１）〜（ステップ４）の一部または全部を並行しておこなってもよい。また、サムネイル画像生成部２１２は、ステップ４を行なわなくても良い。しかし、ステップ４を行なえば、サムネイル画像の縦方向の大きさを自在に小さくすることができるので、ディスプレイ１２０に表示されている他の画像との重なりを小さくすることができる。
【００４４】
複数のサムネイル画像を横方向に並べて表示するのであるから、仮想の回転軸Ｍはページの横方向の辺と交差していればよい。したがって、仮想の回転軸Ｍは、たとえばページの対角線であってもよい。
【００４５】
なお、サムネイル画像生成部２１２は、上記以外の処理方法により、ページが斜め上方の視点から俯瞰されているようなサムネイル画像を生成してもよい。
【００４６】
ここで、サムネイル画像生成部２１２は、第１のページの前後で、仮想の回転軸Ｍの周りの回転方向を異ならせる。たとえば、サムネイル画像生成部２１２は、第１のページよりも画面左側に表示されるページについては、縮小画像を仮想の回転軸Ｍの上方から見て反時計回りに回転させたようなサムネイル画像を生成し、第１のページよりも画面右側に表示されるページについては、縮小画像を仮想の回転軸Ｍの上方から見て時計回りに回転させたようなサムネイル画像を生成する。
【００４７】
たとえば、画面左から右に向かって降順で並べて表示される場合、第１のページよりも左側に位置するページは、第１のページよりも前のページであり、第１のページよりも右側に位置するページは、第１のページよりも後のページである。一方、画面右から左に向かって降順で並べて表示される場合、第１のページよりも左側に位置するページは、第１のページよりも後のページであり、第１のページよりも右側に位置するページは、第１のページよりも前のページである。
【００４８】
第１のページについては、縮小画像を仮想の回転軸Ｍの周りに回転させる方向は時計回りと反時計回りのいずれでもよく、また、回転角度が０度でもよい。なお、サムネイル画像生成部２１２は、全てのページの縮小画像を仮想の回転軸Ｍの周りに同一の回転方向に回転させてもよい。
【００４９】
また、サムネイル画像生成部２１２は、縮小画像の仮想の回転軸Ｍの周りの回転角度をページによって異ならせる。言い換えれば、サムネイル画像の変形の大きさをページによって異ならせる。具体的には、サムネイル画像生成部２１２は、第１のページからより離れているページほど、サムネイル画像の変形の大きさをより大きくする。すなわち、第１のページの回転角度を最も小さくし、第１のページから最も離れているページの回転角度を最も大きくする。こうすることによって、第１のページだけでなく、第１のページの前後数ページにわたって、比較的容易に各ページの概要を認識することができる。
【００５０】
ここで、サムネイル画像生成部２１２は、一ページ単位で、回転角度を異ならせてもよい。つまり、サムネイル画像生成部２１２は、一ページ単位で、サムネイル画像の変形の大きさを異ならせてもよい。また、サムネイル画像生成部２１２は、複数ページ単位で、回転角度を段階的に異ならせてもよい。第１のページの前後数ページは、第１のページの回転角度と同一であってもよい。第１のページからある程度以上離れたページは、回転角度が一定であってもよい。また、全てのページの回転角度が同一であってもよい。
【００５１】
また、サムネイル画像生成部２１２は、ページによってサイズを異ならせてもよい。たとえば、サムネイル画像生成部２１２は、第１のページからより離れているページほど、サイズを小さくしてもよい。すなわち、第１のページのサイズを最も大きくし、第１のページから最も離れているページのサイズを最も小さくしてもよい。ここで、サムネイル画像生成部２１２は、一ページ単位で、サイズを異ならせてよい。また、サムネイル画像生成部２１２は、複数ページ単位で、サイズを段階的に異ならせてもよい。第１のページの前後数ページは、第１のページのサイズと同一であってもよい。第１のページからある程度以上離れたページは、サイズが一定であってもよい。また、全てのページのサイズが同一であってもよい。
【００５２】
図５は、サムネイル画像の一例を示す。図５に示すサムネイル画像群５００は、サムネイル画像生成部２１２によって生成された複数のサムネイル画像の集合体である。サムネイル画像群５００において、サムネイル画像５１０は、第１のページのサムネイル画像である。図５に示すように、サムネイル画像群５００において、複数のサムネイル画像のそれぞれは、いずれもページの斜め上方に視点が設定されているサムネイル画像である。また、サムネイル画像群５００においては、サムネイル画像５１０の前後で、仮想の回転軸Ｍの周りの回転方向が異なっている。具体的には、サムネイル画像５１０よりも画面左側に表示されるサムネイル画像は、仮想の回転軸Ｍの上方から見て反時計回りに回転されており、サムネイル画像５１０よりも画面右側に表示されるサムネイル画像は、仮想の回転軸Ｍの上方から見て時計回りに回転されている。
【００５３】
また、サムネイル画像群５００においては、サムネイル画像５１０の仮想の回転軸Ｍの周りの回転角度が最も小さく、サムネイル画像５１０から離れるほど、他のサムネイル画像の回転角度が大きくなっている。すなわち、各サムネイル画像の変形の大きさは、サムネイル画像５１０から遠ざかるほど大きい。そして、サムネイル画像５１０の変形の大きさは、サムネイル画像５１０から最も離れているサムネイル画像の変形の大きさよりも小さい。
【００５４】
さらに、総てのサムネイル画像を直線上に並べるのではなく、サムネイル画像５１０よりも画面左側に表示される複数のサムネイル画像を、サムネイル画像５１０から遠ざかる
に従って上方向にずらしながら表示し、サムネイル画像５１０よりも画面右側に表示される複数のサムネイル画像を、サムネイル画像５１０から遠ざかるに従って上方向にずらしながら表示するとよい。このように表示すれば、サムネイル画像５１０の両側のサムネイル画像において、各サムネイル画像のうち上部の領域が視認されやすくなる。
【００５５】
複数のサムネイル画像を図５に示したように表示すれば、第１のページの概要と、第１のページの次または前のページの概要を、容易に把握することができる。さらに、各サムネイル画像のうち上部の領域が視認可能であり、かつ、第１のページに近いページのサムネイル画像の変形の大きさは比較的小さい。そのため、各ページを仰ぎ見るような態様で複数のサムネイル画像を部分的に重ねて表示する場合と比較して、ユーザーは、第１のページだけでなく第１のページに近いページの概要も容易に把握することができる。第１のページから遠いページの概要も、おおよそ把握することができる。また、複数のサムネイル画像を横方向に並べて表示する場合、特に、ページの縮小画像に対して加える左右方向の縮小変形が大きいほど多くのサムネイル画像を表示できるため、文書の広い範囲にわたって、各ページの概要を把握することができる。
【００５６】
図６は、サムネイル画像の他の一例を示す。図６に示すサムネイル画像群６００は、サムネイル画像生成部２１２によって生成された複数のサムネイル画像の集合体である。サムネイル画像群６００において、サムネイル画像６１０は、第１のページのサムネイル画像である。図６に示すように、サムネイル画像群６００において、複数のサムネイル画像のそれぞれは、いずれもページの斜め上方に視点が設定されているサムネイル画像である。また、サムネイル画像群６００においては、サムネイル画像６１０の前後で、仮想の回転軸Ｍの周りの回転方向が異なっている。具体的には、サムネイル画像６１０よりも画面左側に表示されるサムネイル画像は、仮想の回転軸Ｍの上方から見て反時計回りに回転されており、サムネイル画像６１０よりも画面右側に表示されるサムネイル画像は、仮想の回転軸Ｍの上方から見て時計回りに回転されている。また、サムネイル画像群６００においては、サムネイル画像６１０の仮想の回転軸Ｍの周りの回転角度が最も小さく、サムネイル画像６１０から離れるほど、サムネイル画像の回転角度が大きくなっている。つまり、サムネイル画像６１０の変形の大きさは、サムネイル画像６１０から最も離れているサムネイル画像の変形の大きさよりも小さい。また、サムネイル画像群６００においては、サムネイル画像６１０のサイズが最も大きく、サムネイル画像６１０から最も離れているサムネイル画像のサイズが最も小さくなっている。
【００５７】
複数のサムネイル画像を図６に示したように表示すれば、第１のページの概要と、第１のページの次または前のページの概要を、容易に把握することができる。さらに、各サムネイル画像のうち上部の領域が視認可能であり、かつ、第１のページに近いページのサムネイル画像の変形の大きさは比較的小さい。そのため、各ページを仰ぎ見るような態様で複数のサムネイル画像を部分的に重ねて表示する場合と比較して、ユーザーは、第１のページだけでなく第１のページに近いページの概要も容易に把握することができる。第１のページから遠いページの概要も、おおよそ把握することができる。
【００５８】
また、複数のサムネイル画像を横方向に並べて表示する場合、ページの縮小画像に対して加える左右方向の縮小変形が大きいほどサムネイル画像の横方向の幅が小さくなるため、多くのサムネイル画像を表示することができる。したがって、文書の広い範囲にわたって、各ページの概要を把握することができる。さらに、第１のページから遠いページのサムネイル画像のサイズを第１のページのサムネイル画像のサイズよりも小さくしているため、限られたスペースに多くのページのサムネイル画像を表示することができる。これにより、ユーザーは、複数のページにおける第１のページの相対的な位置関係を容易に把握することができる。
【００５９】
図７は、サムネイル画像および文書の表示の一例を示す。図８は、サムネイル画像および文書の表示の他の一例を示す。図７および図８において、ディスプレイ１２０には、第２の文書のデータ７００と、図５に示したサムネイル画像群５００とが表示されている。ここで、サムネイル画像群５００は、第２の文書のデータ７００が表示される前に、あらかじめディスプレイ１２０に表示されていた画像である。その後、ユーザーによって、サムネイル画像群５００に含まれている複数のサムネイル画像の中から、第２のページが選択されている。これにより、ディスプレイ１２０には、選択された第２の文書のデータ７００が表示されている。ユーザーは、第２の文書のデータ７００およびサムネイル画像群５００のいずれかをフォーカスすることにより、フォーカスされた方のデータを扱うことができる。
【００６０】
ここで、図７に示す例では、サムネイル画像群５００は、ディスプレイ１２０の表示領域において、第２の文書のデータ７００が表示されていない領域に表示されている。すなわち、サムネイル画像群５００は第２の文書のデータ７００と重ならないように表示されている。一方、図８に示す例では、サムネイル画像群５００は、ディスプレイ１２０の表示領域において、第２の文書のデータ７００が表示されている領域に表示されている。すなわち、サムネイル画像群５００は、第２の文書のデータ７００の一部と重なるように表示されている。特に、図８に示す例では、サムネイル画像群５００は第２の文書のデータ７００の表側に重ねて表示されているが、第２の文書のデータ７００が第２のサムネイル画像群５００の表側に重ねて表示されてもよい。また、図８に示す例では、サムネイル画像群５００の下側の表示が省略されているが、サムネイル画像群５００を上方に移動させて、上記領域からはみ出す部分を表示させてもよい。
【００６１】
図８に示した例では、サムネイル画像の下側が省略されて表示されているが、既に説明したように、サムネイル画像は上方の視点から俯瞰されているように表示されているため、各ページの概要を把握することができる。すなわち、複数のサムネイル画像を表示するために占有される面積を比較的小さく抑えつつ、ユーザーに文書の概要を容易に把握させることができる。
【００６２】
このように、本実施形態の表示装置１００によれば、第１のサムネイル画像の変形の大きさを、他のサムネイル画像の変形の大きさよりも小さくしているため、第１のページに含まれる文字、図形、画像等のデータの変形量が他のページにおける変形量よりも少ない。そのため、第１のページのサムネイル画像においては、文字、図形、画像等の表示形態が実際の文書データの表示形態により近く、ユーザーは、第１のページが有する文書データの概要を、第１のサムネイル画像から容易に把握することができる。したがって、ユーザーは、手間や時間をかけることなく、文書データの内容を容易かつ迅速に把握することができる。
【００６３】
また、ページが斜め上方の視点から俯瞰されているように、サムネイル画像が生成されているため、限られたスペースに多くのサムネイル画像を表示する目的で、複数のサムネイル画像を互いに部分的に重なるように表示しても、各サムネイル画像の上の領域はユーザーに視認される。このため、各ページを仰ぎ見るような態様で複数のサムネイル画像を部分的に重ねて表示する場合と比較して、ユーザーは、第１のページだけでなく他のページの概要も容易に把握することができる。したがって、ユーザーは、手間や時間をかけることなく、文書の内容を容易かつ迅速に把握することができる。
【００６４】
また、本実施形態の表示装置１００によれば、第１のページのサムネイル画像の前後でサムネイル画像の仮想の回転軸Ｍの周りの回転方向が異なるため、ユーザーは、ディスプレイ１２０に表示されている複数のサムネイル画像の中から第１のページのサムネイル画像を直感的に迅速に探し出すことができる。
【００６５】
また、本実施形態の表示装置１００によれば、第１のページのサムネイル画像のサイズが、他のページのサムネイル画像のサイズよりも相対的に大きいため、ユーザーは、ディスプレイ１２０に表示されている複数のサムネイル画像の中から第１のページのサムネイル画像を直感的に迅速に探し出し、その内容を容易に把握することができる。また、他のページのサムネイル画像のサイズを第１のページのサムネイル画像のサイズよりも小さくしているため、より多くのサムネイル画像をディスプレイ１２０に表示することができる。
【００６６】
さらに、他のページのサムネイル画像の変形の大きさを第１のページのサムネイル画像の変形の大きさよりも大きくしているため、さらに多くのサムネイル画像をディスプレイ１２０に表示することができる。より具体的には、他のサムネイル画像に対応するページの縮小画像に対して加える左右方向の縮小変形の大きさを、第１のサムネイル画像に対応するページの縮小画像に対して加える左右方向の縮小変形の大きさよりも大きくしているため、さらに多くのサムネイル画像をディスプレイ１２０に表示することができる。これにより、ユーザーは、複数のページにおける第１のページの相対的な位置関係を容易に把握することができる。
【００６７】
また、本実施形態の表示装置１００によれば、表示対象となる第２のページの選択指示の入力を受け付け、ディスプレイ１２０に表示させるため、文書データの内容をサムネイル画像により容易かつ迅速にユーザーに把握させたうえで、そのうちの第２のページをユーザーに選択させて表示することができる。これにより、ユーザーは、容易かつ迅速に、複数のページの中うちの所望するページを探し出し、そのページに記載されている内容を詳細に把握することができる。
【００６８】
サムネイル画像生成部２１２は、サムネイル画像を予め生成しておき、生成したサムネイル画像を格納部２１０に格納しておき、サムネイル画像表示制御部２１４は、ディスプレイ１２０に表示させるサムネイル画像を、格納部２１０から読み取ってもよい。この場合、サムネイル画像生成部２１２は、回転角度が異なる複数のサムネイル画像を生成しておき、生成したサムネイル画像を格納部２１０に格納しておいてもよい。
【００６９】
サムネイル画像生成部２１２を外部から取得できる場合、表示装置１００は、サムネイル画像生成部２１２を有しなくてもよい。この場合、表示装置１００は、外部から取得したサムネイル画像を格納部２１０に格納しておき、サムネイル画像表示制御部２１４は、ディスプレイ１２０に表示させるサムネイル画像を、格納部２１０から読み取ってもよい。たとえば、表示装置１００は、メモリーカードなどの外部の記録媒体からサムネイル画像を取得し、取得したサムネイル画像を格納部２１０に格納しておいてもよい。また、表示装置１００は、有線通信または無線通信を介して、外部の情報処理装置からサムネイル画像を取得し、取得したサムネイル画像を格納部２１０に格納しておいてもよい。
【００７０】
図９は、表示装置１００のハードウェア構成の一例を示す。表示装置１００は、図１で説明したディスプレイ１２０、ディスプレイ駆動回路１２２、および操作ボタン１３０に加えて、ＣＰＵ１５０５、ＲＯＭ１５１０、ＲＡＭ１５２０、ＨＤ（ハードディスク）ドライブ１５２５、通信インターフェース１５３０、外部メモリードライブ１５４０、および外部メモリー１５４２をさらに備える。
【００７１】
ＲＯＭ１５１０、ＲＡＭ１５２０、およびＨＤドライブ１５２５は、各種データおよび各種プログラムを格納する。ＣＰＵ１５０５は、ＲＯＭ１５１０、ＲＡＭ１５２０、またはＨＤドライブ１５２５に格納されたプログラムを実行することで、各種データ処理および各種ハードウェア制御をおこなう。
【００７２】
通信インターフェース１５３０は、通信ネットワークに接続し、通信ネットワークを介して外部装置に対するデータの送受信をおこなう。外部メモリードライブ１５４０は、外部メモリー１５４２に接続し、外部メモリー１５４２に対するデータの送受信をおこなう。外部メモリー１５４２としては、たとえば、メモリーカードが挙げられる。外部メモリー１５４２は、フレキシブルディスク、ＣＤ、ＤＶＤ等の記録媒体であってもよい。
【００７３】
たとえば、図２に示したサムネイル画像生成部２１２および入力受付部２２２は、ＲＯＭ１５１０、ＲＡＭ１５２０、またはＨＤドライブ１５２５に格納されたプログラムをＣＰＵ１５０５が実行することによって、その機能が実現される。また、図２に示した、サムネイル画像表示制御部２１４および文書表示制御部２２４は、ＲＯＭ１５１０、ＲＡＭ１５２０、またはＨＤドライブ１５２５に格納されたプログラムをＣＰＵ１５０５が実行し、ＣＰＵ１５０５がディスプレイ駆動回路１２２を制御することによって、その機能が実現される。また、図２に示した格納部２１０は、ＲＯＭ１５１０、ＲＡＭ１５２０、およびＨＤドライブ１５２５の少なくともいずれか一つによって、その機能が実現される。なお、格納部２１０は、外部メモリー１５４２によってその機能が実現されてもよい。また、格納部２１０は、外部装置が備えるメモリー、ハードディスクなどの記録媒体によってその機能が実現されてもよい。
【００７４】
ＣＰＵ１５０５が実行するプログラムは、外部メモリー１５４２に格納されているものであってもよく、外部装置が備えるメモリー、ハードディスクなどの記録媒体に格納されているものであってもよい。また、ＣＰＵ１５０５が実行するプログラムは、あらかじめ、ＲＯＭ１５１０、ＲＡＭ１５２０、またはＨＤドライブ１５２５されていてもよく、外部メモリー１５４２によって表示装置１００に提供されてもよく、外部装置から通信ネットワークを介して、表示装置１００に提供されてもよい。
【符号の説明】
【００７５】
１００  表示装置、１１０  筐体、１２０  ディスプレイ、１３０  操作ボタン、２１０  格納部、２１２  サムネイル画像生成部、２１４  サムネイル画像表示制御部、２２２  入力受付部、２２４  文書表示制御部
【図１】
2011221586.tif 000003
【図２】
2011221586.tif 000004
【図３】
2011221586.tif 000005
【図４】
2011221586.tif 000006
【図５】
2011221586.tif 000007
【図６】
2011221586.tif 000008
【図７】
2011221586.tif 000009
【図８】
2011221586.tif 000010
【図９】
2011221586.tif 000011